(57)【要約】      （修正有）【課題】オペレータの作業負担を軽減する。【解決手段】被検者１３を撮影したときの環境を記憶しておく。そして、被検者を再び撮影する場合、オペレータは、過去に被検者１３を撮影したときの環境が記憶部９に記憶されているか否かを確認するために、患者番号ＰＩＤ＝０５６を入力する。患者番号ＰＩＤ＝０５６に対応付けられた環境が記憶されている場合、条件設定手段１０１は、患者番号ＰＩＤ＝０５６に対応する環境が再現されるように、被検者１３を再び撮影するときの環境を設定する。【選択図】図１
2012245315.tif 000002
【特許請求の範囲】
【請求項１】
被検者を撮影したときに設定された環境に関する条件を、前記被検者を特定するための情報に対応付けて記憶する記憶部と、
前記被検者を再び撮影する場合、前記記憶部から、前記被検者を特定するための情報に対応付けられた条件を読み出し、読み出された条件を、前記被検者を再び撮影するときの環境に関する条件として設定する条件設定手段と、
を有する医用装置。
【請求項２】
前記記憶部の中から、前記被検者を特定するための情報に対応付けられた条件を検索する検索手段、を有する請求項１に記載の医用装置。
【請求項３】
前記条件設定手段は、
オペレータの操作に応じて、環境に関する条件を変更する、請求項１又は２に記載の医用装置。
【請求項４】
前記記憶部は、
前記被検者に関する情報に対応付けて、前記被検者を撮影するときの環境に関する条件を記憶しており、
前記検索手段は、
前記記憶部の中から、前記被検者に関する情報に対応付けられた条件を検索する、請求項１〜３のうちのいずれか一項に記載の医用装置。
【請求項５】
前記被検者に関する情報には、性別又は年齢が含まれている、請求項４に記載の医用装置。
【請求項６】
前記医用装置は、磁場を発生するマグネットを有し、
前記マグネットは、前記被検者が搬入されるボアを有する、請求項１〜５のうちのいずれか一項に記載の医用装置。
【請求項７】
前記マグネットは、マグネットルームに設置されており、
前記環境に関する条件には、前記マグネットルームの照明の明るさと、前記マグネットルームの温度とが含まれている、請求項６に記載の医用装置。
【請求項８】
前記ボアの内側を冷却するためのクーリング装置を有しており、
前記環境に関する条件には、前記クーリング装置の風量および温度が含まれている、請求項６又は７に記載の医用装置。
【請求項９】
前記マグネットは、前記ボアを明るくするためのボアライトを有し、
前記環境に関する条件には、ボアライトの明るさおよび色合いが含まれている、請求項６〜８のうちのいずれか一項に記載の医用装置。
【請求項１０】
前記マグネットは、ＬＥＤライトを有しており、
前記環境に関する条件には、前記ＬＥＤライトの明るさおよび色合いが含まれている、請求項６〜９のうちのいずれか一項に記載の医用装置。
【請求項１１】
前記環境に関する条件には、前記被検者に装着されるヘッドフォンの音量および音程が含まれている、請求項６〜１０のうちのいずれか一項に記載の医用装置。
【請求項１２】
前記環境に関する条件には、前記ヘッドフォンから流れる音楽が含まれている、請求項１１に記載の医用装置。
【請求項１３】
前記マグネットは、前記ボアの内壁に取り付けられたディスプレイを有しており、
前記環境に関する条件には、前記ディスプレイに表示される画像が含まれている、請求項６〜１２のうちのいずれか一項に記載の医用装置。
【請求項１４】
被検者を撮影する複数の医用装置と、前記複数の医用装置の各々に、前記被検者を撮影するときの環境に関する条件を送信するサーバと、を有する配信システムであって、
前記サーバは、
前記複数の医用装置のうちのいずれかの医用装置で前記被検者を撮影したときの環境に関する条件を、前記被検者を特定するための情報に対応付けて記憶する記憶部と、
記複数の医用装置のうちのいずれかの医用装置で前記被検者を再び撮影する場合、前記記憶部から、前記被検者を特定するための情報に対応付けられた条件を読み出し、読み出された条件を、前記被検者を再び撮影するときの環境に関する条件として設定する条件設定手段と、
を有する、配信システム。
【発明の詳細な説明】
【技術分野】
【０００１】
本発明は、被検者を撮影する医用装置、および配信システムに関する。
【背景技術】
【０００２】
磁気共鳴イメージング装置などの医用装置の普及によって、被検者の病気の早期発見や、より的確な診断ができるようになった。しかし、一方で、被検者の中には、医用装置の撮影に不安感を感じたり、苦手意識をもつ人も多い。例えば、磁気共鳴イメージング装置で撮影を行う場合、被検者はマグネットのボア内に搬入されるが、ボアの空間は狭いので、閉所恐怖症の人は不安感を感じることが多い。そこで、ボアの中にディスプレイを備え、ディスプレイに画像を表示させることで被検者が感じる不安感を低減する方法が提案されている（特許文献１参照）。また、被検者の不安感を軽減する方法として、ボアの中を明るくするためのボアライトを備える方法もある。
【先行技術文献】
【特許文献】
【０００３】
【特許文献１】特開２００３−１９０１１２号公報
【発明の概要】
【発明が解決しようとする課題】
【０００４】
しかし、ディスプレイに画像を表示する場合、被検者によって、表示する画像の好みに違いがある。また、ボアライトを点灯させる場合、眩しいくらい明るい光を好む人もいれば、薄暗い光を好む人もいる。したがって、オペレータは、被検者に、画像の好みやボアライトの明るさの好みを聞き、被検者の好みに合うように、ディスプレイの画像やボアライトの明るさを手動で設定している。しかし、被検者を撮影した後、日時を改めて、同じ被検者を撮影することがある。この場合に、オペレータが、再び被検者に好みを聞いて、ディスプレイの画像やボアライトの明るさを手動で設定するのは、オペレータの作業負担を考えると、好ましいことではない。そこで、オペレータの作業負担を軽減することが望まれている。
【課題を解決するための手段】
【０００５】
本発明の第１の態様は、被検者を撮影したときに設定された環境に関する条件を、前記被検者を特定するための情報に対応付けて記憶する記憶部と、
前記被検者を再び撮影する場合、前記記憶部から、前記被検者を特定するための情報に対応付けられた条件を読み出し、読み出された条件を、前記被検者を再び撮影するときの環境に関する条件として設定する条件設定手段と、
を有する医用装置である。
【０００６】
本発明の第２の態様は、被検者を撮影する複数の医用装置と、前記複数の医用装置の各々に、前記被検者を撮影するときの環境に関する条件を送信するサーバと、を有する配信システムであって、
前記サーバは、
前記複数の医用装置のうちのいずれかの医用装置で前記被検者を撮影したときの環境に関する条件を、前記被検者を特定するための情報に対応付けて記憶する記憶部と、
記複数の医用装置のうちのいずれかの医用装置で前記被検者を再び撮影する場合、前記記憶部から、前記被検者を特定するための情報に対応付けられた条件を読み出し、読み出された条件を、前記被検者を再び撮影するときの環境に関する条件として設定する条件設定手段と、
を有する、配信システムである。
【発明の効果】
【０００７】
前記被検者を再び撮影する場合、前記記憶部から、前記被検者を特定するための情報に対応付けられた条件を読み出し、読み出された条件を、前記被検者を再び撮影するときの環境に関する条件として設定する。したがって、被検者を再び撮影する場合、環境に関する条件を設定するときのオペレータの作業負担を軽減することができる。
【図面の簡単な説明】
【０００８】
【図１】本発明の第１の形態の磁気共鳴イメージング装置１００の概略図である。
【図２】マグネットルームの側面図である。
【図３】被検者１３を撮影するときのフローを示す図である。
【図４】項目の設定の一例を示す図である。
【図５】記憶部９に記憶された環境に関する条件を概略的に示す図である。
【図６】被検者１３がマグネットルーム１に案内されたときの様子を示す図である。
【図７】被検者１３がマグネットルーム１に案内されたときの様子を示す図である。
【図８】被検者１３にヘッドフォン２４を装着したときの様子を示す図である。
【図９】ヘッドフォン２４から流れる音楽が、「ドボルザークの新世界」に変更された様子を示す図である。
【図１０】第２の形態における記憶部を概略的に示す図である。
【図１１】第２の形態において被検者を撮影するときのフローを示す図である。
【図１２】記憶部９が、被検者１３の患者番号ＰＩＤ＝０５６に対応付けて環境に関する条件Ａ３を記憶した様子を示す図である。
【図１３】記憶部９が、被検者１３の患者番号ＰＩＤ＝０５６に対応付けて、変更後の環境に関する条件Ａ３′を記憶した様子を示す図である。
【図１４】本発明の第３の形態の配信システムを示す図である。
【発明を実施するための形態】
【０００９】
発明を実施するための形態について説明するが、本発明は以下の形態に限定されることはない。
【００１０】
（１）第１の形態
図１は、本発明の第１の形態の磁気共鳴イメージング装置１００の概略図、図２は、マグネットルームの側面図である。尚、図２には、マグネットの断面が示されている。
【００１１】
ＭＲＩ装置１００は、磁場を発生するマグネット２およびテーブル３を有している。マグネット２およびテーブル３は、マグネットルーム１に配置されている。
【００１２】
マグネット２は、被検者１３が搬入されるボア２ａを有している。また、マグネット２には、超伝導コイル、勾配コイル、およびＲＦコイルなどが内蔵されている。
【００１３】
マグネット２の前面２ｂには、ＬＥＤライト２１が取り付けられている。ＬＥＤライト２１は、被検者１３の好みの明るさおよび色合いで照明することができるライトである。したがって、ＬＥＤライト２１は、被検者１３がマグネットルーム１に入ったときに、被検者１３の緊張を和らげる効果を有している。
【００１４】
マグネット２のボア２ａの開口部付近には、ボアライト２２が取り付けられている。ボアライト２２は、ボア２ａの内部を明るくするためのものである。ボア２ａの内部を明るくすることによって、暗い場所が苦手な人の不安感を軽減することができる。
【００１５】
また、マグネット２のボア２ａには、クーリング装置１ａから空気が供給される。クーリング装置１ａは、空気の風量、温度を調整することができるので、ボア２ａの中を、被検者１３にとって快適な温度にすることができる。また、クーリング装置１ａは、空気を媒体として、ボア２ａ内に香り（アロマ）を供給できるようにも構成されている。したがって、被検者１３をリラックスさせることができる。
【００１６】
更に、マグネット２のボア２ａの内壁には、ディスプレイ２３が取り付けられている。ディスプレイ２３には、被検者１３の好みの画像が表示される。
【００１７】
マグネットルーム１には、テーブル３も配置されている。テーブル３は、被検者１３を支持するクレードル３ａを有している。クレードル３ａは、ボア２ａに移動できるように構成されている。したがって、クレードル３ａの移動によって、被検者１３をボア２ａに搬入することができる。
【００１８】
また、ＭＲＩ装置１００は受信コイル４を有している。受信コイル４は被検者１３の腹部に取り付けられており、被検者１３からの磁気共鳴信号を受信する。更に、被検者１３には、ヘッドフォン２４が装着されている。被検者１３は、ヘッドフォン２４からオペレータ１４の指示を聞くことができる。尚、オペレータ１４が被検者１３に指示をするとき以外は、ヘッドフォン２４には、被検者１３の好みの音楽が流れている。
【００１９】
ＭＲＩ装置１００は、更に、シーケンサ５、送信器６、勾配磁場電源７、受信器８、記憶部９、中央処理装置１０、操作部１１、および表示部１２を有している。
【００２０】
シーケンサ５は、中央処理装置１０の制御を受けて、被検者１３を撮影するための情報を送信器６および勾配磁場電源７に送る。
【００２１】
送信器６は、シーケンサ５から送られた情報に基づいて、ＲＦコイルを駆動する駆動信号を出力する。
【００２２】
勾配磁場電源７は、シーケンサ５から送られた情報に基づいて、勾配コイルを駆動する駆動信号を出力する。
【００２３】
受信器８は、受信コイル４で受信された磁気共鳴信号を信号処理し、信号処理により得たれたデータを中央処理装置１０に出力する。
【００２４】
記憶部９は、被検者１３を撮影したときに設定された条件を記憶する。記憶部９に記憶される条件については後述する。
【００２５】
中央処理装置１０は、シーケンサ５および表示部１２に必要な情報を伝送したり、受信器８から受け取ったデータに基づいて画像を再構成するなど、ＭＲＩ装置１００の各種の動作を実現するように、ＭＲＩ装置１００の各部の動作を制御する。中央処理装置１０は、例えばコンピュータ（computer）によって構成される。
中央処理装置１０は、条件設定手段１０１および検索手段１０２などを有している。
【００２６】
条件設定手段１０１は、被検者１３を撮影するときの環境に関する条件を設定する。
検索手段１０２は、記憶部９の中から、オペレータ１４が入力した患者番号ＰＩＤに対応付けられた条件を検索する。
【００２７】
中央処理装置１０は、条件設定手段１０１および検索手段１０２の一例であり、所定のプログラムを実行することにより、この手段として機能する。
【００２８】
操作部１１は、オペレータ１４により操作され、種々の情報を中央処理装置１０に入力する。表示部１２は種々の情報を表示する。
ＭＲＩ装置１００は、上記のように構成されている。
【００２９】
次に、ＭＲＩ装置１００を用いて被検者１３を撮影するときの手順について説明する。
図３は、被検者１３を撮影するときのフローを示す図である。
【００３０】
ステップＳＴ１では、オペレータ１４は、過去に被検者１３を撮影したことがあるか否かを確認する。ここでは、被検者１３の撮影は、今回が初めてであるとする。したがって、ステップＳＴ２に進む。
【００３１】
ステップＳＴ２では、オペレータ１４は、被検者１３を撮影する前に、被検者１３を撮影するときの環境に関する条件を設定する。第１の形態では、環境に関する条件として、以下の（１）〜（９）を設定する。
（１）ボアライト２２の明るさおよび色合い
（２）クーリング装置１ａの風量および温度
（３）ＬＥＤライト２１の明るさと色合い
（４）ヘッドフォン２４の音量と音程
（５）マグネットルーム１の照明１ｂの明るさ
（６）マグネットルーム１の温度
（７）クーリング装置１ａから供給される香り
（８）ヘッドフォン２４から流れる音楽
（９）ディスプレイ２３に表示される画像
【００３２】
オペレータ１４は、上記の項目（１）〜（９）について、被検者１３の好み等を考慮して設定する。被検者１３の好みが分からない場合は、被検者１３に事前に聞いておく。上記の項目の設定の一例を、図４に示す。
【００３３】
オペレータ１４は、操作部１２を操作し、各項目（１）〜（９）を図４に示すように設定するための情報を入力する。この情報が入力されると、条件設定手段１０１（図１参照）は、被検者１３を撮影するときの環境に関する条件を、図４に示すように設定する。このようにして、被検者１３を撮影するときの環境に関する条件が設定される。環境に関する条件が設定されたら、ステップＳＴ３に進む。
【００３４】
ステップＳＴ３では、記憶部９は、条件設定手段１０１により設定された環境に関する条件を記憶する（図５参照）。
【００３５】
図５は、記憶部９に記憶された環境に関する条件を概略的に示す図である。
記憶部９は、条件設定手段１０１により設定された環境に関する条件を、被検者１３を特定する情報に対応付けて記憶する。本形態では、被検者１３を特定する情報として、患者番号ＰＩＤが使用されている。図５では、ステップＳＴ２で設定された環境に関する条件は、患者番号ＰＩＤ＝０５６に対応付けて記憶されている。そして、ステップＳＴ４に進む。
【００３６】
ステップＳＴ４では、オペレータ１４は、被検者１３をマグネットルーム１に案内する（図６および図７参照）。
【００３７】
図６および図７は、被検者１３がマグネットルーム１に案内されたときの様子を示す図である。
【００３８】
マグネットルーム１の照明１ｂは最も明るく設定されており、マグネットルーム１の温度は２３度に設定されている。したがって、マグネットルーム１の照明１ｂの明るさ、およびマグネットルーム１の温度は、被検者１３の好みになっているので、被検者１３が撮影直前に感じる緊張感を和らげることができる。
【００３９】
また、ＬＥＤライト２１も被検者１３の好みに設定されているので、ＬＥＤライト２１の光によっても、被検者１３の緊張を和らげることができる。
【００４０】
オペレータ１４は、被検者１３をマグネットルーム１に案内した後、被検者１３をテーブル３に寝かせて受信コイル４を設置し、更に、被検者１３にヘッドフォン２４を装着する（図８参照）。ヘッドフォン２４からは、被検者１３の好みの音楽が流れているので、被検者１３の緊張を和らげることができる。被検者１３をテーブル３に寝かせたら、ステップＳＴ５に進む。
【００４１】
ステップＳＴ５では、被検者１３をボア２ａに搬入し（図１および図２参照）、スキャンを行う。
【００４２】
ボアライト２２の明るさおよび色合いは、強点灯および白色系に設定されているので、暗い場所が苦手な人でも、安心して撮影を受けることができる。また、クーリング装置１ａの風量および温度は、被検者１３の好みに調整されているので、被検者１３は快適な温度で撮影を受けることができる。更に、ボア２ａには、クーリング装置１ａから、微かなバラの香りが供給されているので、被検者１３は、リラックスして撮影を受けることができる。
【００４３】
ヘッドフォン２４からは、被検者１３の好みの音楽（ビバルディの四季）が流れており、ディスプレイ２３は、被検者１３の好みの画像（日本の風景１００選）が表示されている。したがって、被検者１３が閉所恐怖症であっても、被検者１３が感じる不安感を軽減することができる。尚、オペレータ１４は、スキャン中に被検者１３に所定の指示をしたい場合は、ヘッドフォン２４又はディスプレイ２３を通じて被検者１３に指示をする。ヘッドフォン２４を通じて指示をする場合、ヘッドフォン２４に流れている音楽が中断し、被検者１３はヘッドフォン２４からオペレータ１４の指示を聞くことできる。また、ディスプレイ２３を通じて指示をする場合、ディスプレイ２３に表示されている画像が中断し、ディスプレイ２３にオペレータ１４の指示が表示される。したがって、オペレータ１４は、必要な指示を確実に被検者１３に知らせることができる。尚、ヘッドフォン２４の音程は「高音強調」に設定されているので、老人などの耳の遠い人であっても、オペレータ１４の指示を聞き取ることができる。
【００４４】
被検者１３のスキャンを終了したら、オペレータ１４は、ボア２ａから被検者１３を搬出し、フローを終了する。
【００４５】
次に、再検査などで、被検者１３を再び撮影する場合について説明する。被検者１３を再び撮影する場合についても、図３に示すフローを参照しながら説明する。
【００４６】
ステップＳＴ１では、オペレータ１４は、過去に被検者１３を撮影したことがあるか否かを確認する。被検者１３は過去に撮影されているので、ステップＳＴ６に進む。
【００４７】
ステップＳＴ６では、オペレータ１４は、過去に被検者１３を撮影したときの環境に関する条件が記憶部９に記憶されているか否かを確認する。この確認を行うために、オペレータ１４は、被検者１３の患者番号ＰＩＤ＝０５６を入力する。被検者１３の患者番号ＰＩＤ＝０５６が入力されると、検索手段１０２（図１参照）は、記憶部９の中から、患者番号ＰＩＤ＝０５６に対応付けられた条件を検索する。患者番号ＰＩＤ＝０５６に対応付けられた条件が記憶されていない場合ステップＳＴ２に進み、一方、患者番号ＰＩＤ＝０５６に対応付けられた条件が記憶されている場合ステップＳＴ７に進む。記憶部９には、図５に示すように、患者番号ＰＩＤ＝０５６に対応付けられた条件が記憶されている。したがって、ステップＳＴ７に進む。
【００４８】
ステップＳＴ７では、条件設定手段１０１が、記憶部９から、患者番号ＰＩＤ＝０５６に対応する条件を読み出し、読み出された条件を、被検者１３を再び撮影するときの環境に関する条件として設定する。環境に関する条件を設定した後、ステップＳＴ４に進む。
【００４９】
ステップＳＴ４では、オペレータ１４は、被検者１３をマグネットルーム１に案内する。マグネットルーム１の照明１ｂおよび温度は、被検者１３が前回の撮影を受けたときと同様に設定されている。したがって、マグネットルーム１の照明１ｂの明るさおよび温度は、被検者１３の好みになっているので、被検者１３が撮影直前に感じる緊張感を和らげることができる。
【００５０】
また、ＬＥＤライト２１も、前回と同様に被検者１３の好みに設定されているので、ＬＥＤライト２１の光によっても、被検者１３の緊張を和らげることができる。オペレータ１４は、被検者１３をマグネットルーム１に案内したら、被検者１３をテーブル３に寝かせて、受信コイル４を設置し、ヘッドフォン２４を装着する。次に、ステップＳＴ５に進む。
【００５１】
ステップＳＴ５では、被検者１３をボア２ａに搬入し、スキャンを行う（図１および図２参照）。ボアライト２２の明るさおよび色合いは、前回と同様に、強点灯および白色系に設定されているので、暗い場所が苦手な人でも、安心して撮影を受けることができる。また、クーリング装置１ａの風量および温度も、前回と同様に、被検者１３の好みに調整されているので、被検者１３は快適な温度で撮影を受けることができる。更に、ボア２ａには、前回と同様に、微かなバラの香りが供給されているので、被検者１３は、リラックスして撮影を受けることができる。
【００５２】
ヘッドフォン２４からは、前回と同様に、被検者１３の好みの音楽（ビバルディの四季）が流れており、ディスプレイ２３は、被検者１３の好みの画像（日本の風景１００選）が表示されている。したがって、被検者１３が閉所恐怖症であっても、被検者１３が感じる不安感を軽減することができる。被検者１３のスキャンが撮影したら、フローを終了する。
【００５３】
本形態では、被検者１３を撮影したときの環境に関する条件を、患者番号ＰＩＤに対応付けて記憶している。そして、オペレータ１４は、被検者１３を再び撮影する場合には、患者番号ＰＩＤを入力するだけで、被検者１３を過去に撮影したときの環境を再現することができる。したがって、オペレータ１４は、被検者１３を撮影するたびに、被検者１３の好みに合うように、環境に関する条件（音楽や画像の種類など）を設定する必要がなく、オペレータ１４の作業負担を軽減することができる。
【００５４】
また、オペレータ１４は、必要に応じて、患者番号ＰＩＤに対応付けられた条件を変更してもよい。例えば、前回の撮影では、ヘッドフォン２４から流れる音楽として、ビバルディの四季が設定されたが、今回の撮影では、被検者１３が別の音楽を望む場合がある。この場合、オペレータ１４は、操作部１１を操作して、ヘッドフォン２４から流れる音楽を、被検者１３が望む別の音楽に設定するための情報を入力する。この情報が入力されると、条件設定手段１０１は、入力された情報に従って、環境に関する条件を変更する。図９には、ヘッドフォン２４から流れる音楽が、「ドボルザークの新世界」に変更された様子が示されている。したがって、被検者１３が前回とは異なる環境で撮影を受けたいと希望する場合でも、容易に対応することができる。
【００５５】
尚、第１の形態では、環境に関する条件として、（１）〜（９）の項目が挙げられているが、（１）〜（９）以外の項目を加えてもよい。例えば、マグネットルーム１の壁にディスプレイを設けて、被検者１３の好みに応じた画像を表示してもよいし、マグネットルーム１に被検者１３が好きなＢＧＭを流すようにしてもよい。
【００５６】
（２）第２の形態
第２の形態では、記憶部９には、図１０に示すように、性別と年齢層に対応付けて、被検者を撮影するときの環境に関する条件が記憶されている。女性の場合には、年齢層ごとに、環境に関する条件Ａ１〜Ａ７が記憶されており、男性の場合には、年齢層ごとに、環境に関する条件Ｂ１〜Ｂ７が記憶されている。図１０には、環境に関する条件Ａ３の一例が具体的に示されている。次に、第２の形態において被検者を撮影するときのフローについて説明する。
【００５７】
図１１は、第２の形態において被検者を撮影するときのフローを示す図である。
ステップＳＴ１では、オペレータ１４は、過去に被検者１３を撮影したことがあるか否かを確認する。ここでは、被検者１３の撮影は、今回が初めてであるとする。したがって、ステップＳＴ２１に進む。
【００５８】
ステップＳＴ２１では、オペレータ１４は、被検者１３に関する情報（第２の形態では、性別および年齢）を入力する。被検者１３の性別は女性、年齢は２５歳とする。被検者１３の性別および年齢が入力されると、検索手段１０２は、記憶部９の中から、被検者１３の性別および年齢に対応付けられた条件を検索する。入力された性別および年齢は、「女性および２５歳」であるので、環境に関する条件Ａ３が検索結果として得られる。この検索結果が得られた後、ステップＳＴ２２に進む。
【００５９】
ステップＳＴ２２では、条件設定手段１０１が、環境に関する条件Ａ３を、被検者１３を撮影するときの環境に関する条件として設定する。この設定を行ったら、ステップＳＴ２３に進む。
【００６０】
ステップＳＴ２３では、オペレータ１４は、ステップＳＴ２２で設定された環境に関する条件Ａ３を変更する必要があるかどうかを判断する。特に変更する必要がないと判断した場合、ステップＳＴ３に進む。ステップＳＴ３では、記憶部９が、被検者１３の患者番号ＰＩＤ＝０５６に対応付けて、環境に関する条件Ａ３を記憶する。図１２に、記憶部９が、被検者１３の患者番号ＰＩＤ＝０５６に対応付けて、環境に関する条件Ａ３を記憶した様子を示す。
【００６１】
環境に関する条件Ａ３を記憶したら、ステップＳＴ４およびＳＴ５に進み、フローを終了する。ステップＳＴ４およびＳＴ５は、第１の形態と同じであるので説明は省略する。
【００６２】
一方、ステップＳＴ２３において、オペレータ１４は、環境に関する条件を変更する必要があると考えた場合（例えば、被検者１３から要望を受けた場合）、環境を変更すると判断する。この場合、ステップＳＴ２４に進む。
【００６３】
ステップＳＴ２４では、オペレータ１４は、条件設定手段１０１が設定した環境に関する条件Ａ３を変更する。例えば、被検者１３が、ディスプレイ２３に表示される画像を別の画像に変えて欲しいと要望した場合、オペレータ１４は、操作部１１を操作し、別の画像に変えるための情報を入力する。この情報が入力されると、条件設定手段１０１は、入力された情報に従って、ディスプレイ２３に表示される画像を別の画像に変更する。したがって、被検者１３の好みに合った環境を実現することができる。環境に関する条件を変更したら、ステップＳＴ３に進み、記憶部９は、被検者１３の患者番号ＰＩＤ＝０５６に対応付けて、変更後の環境に関する条件Ａ３′を記憶する。図１３に、記憶部９が、被検者１３の患者番号ＰＩＤ＝０５６に対応付けて、変更後の環境に関する条件Ａ３′を記憶した様子を示す。図１３では、ディスプレイ２３に表示される画像が、「日本の名水１００選」に変更された様子が示されている。したがって、被検者１３の要望に容易に対応することができる。
【００６４】
変更後の環境に関する条件Ａ３′を記憶したら、ステップＳＴ４およびＳＴ５に進み、フローを終了する。
【００６５】
尚、再検査などで、被検者１３を再び撮影する場合は、第１の形態と同様に、ステップＳＴ１→ステップＳＴ６→ステップＳＴ７→ステップＳＴ４→ステップＳＴ５の順でフローが進む。
【００６６】
第２の形態では、性別および年齢の組み合わせごとに、環境に関する条件が対応付けられている。したがって、オペレータ１４は、被検者の撮影に適した環境が分からなくても、被検者の性別と年齢を入力すれば、被検者１３の不安感を軽減できそうな環境を実現することができる。尚、第２の形態では、被検者に関する情報として、性別および年齢が用いられているが、性別のみを用いてもよいし、年齢のみを用いてもよい。また、性別および年齢とは異なる情報を、被検者に関する情報として用いてもよい。
【００６７】
（３）第３の形態
図１４は、本発明の第３の形態の配信システムを示す図である。
【００６８】
配信システム２００は、複数の医用装置１００＿１〜１００＿ｎと、サーバ２０１とを有している。
【００６９】
複数の医用装置１００＿１〜１００＿ｎには、ＭＲＩ装置、ＣＴ装置、ＰＥＴ装置などが含まれている。
【００７０】
サーバ２０１は、医用装置１００＿１〜１００＿ｎで被検者を撮影するときの環境に関する条件を設定し、設定した条件を、医用装置１００＿１〜１００＿ｎに配信する。サーバ２０１は、条件設定手段１０１、検索手段１０２、および記憶部９を有している。条件設定手段１０１、検索手段１０２、および記憶部９は、第１の形態と同じであるので、説明は省略する。
【００７１】
第３の形態では、複数の医用装置１００＿１〜１００＿ｎが、サーバ２０１を共有している。したがって、例えば、医用装置１００＿ｉでは患者番号ＰＩＤ＝０５６の被検者１３を撮影したことがなくても、別の医用装置で患者番号ＰＩＤ＝０５６の被検者１３を撮影していれば、記憶部９には、患者番号ＰＩＤ＝０５６の被検者１３を撮影したときの環境に関する条件が記憶されている。この場合、医用装置１００＿ｉが、サーバ２０１に、患者番号ＰＩＤ＝０５６を送ると、検索手段１０２が、記憶部９から、患者番号ＰＩＤ＝０５６に対応付けられた条件を検索する。条件設定手段１０１は、記憶部９から、患者番号ＰＩＤ＝０５６に対応付けられた条件を読み出し、読み出された条件を、被検者を再び撮影するときの環境に関する条件として設定する。そして、サーバ２０１は、患者番号ＰＩＤ＝０５６に対応付けられた条件を、医用装置１００＿ｉに送信する。したがって、過去に撮影したことがない被検者であっても、その被検者に適した環境を実現することができる。
【符号の説明】
【００７２】
１  マグネットルーム
１ａ  クーリング装置
２  マグネット
２ａ  ボア
２ｂ  前面
３  テーブル
３ａ  クレードル
４  受信コイル
６  送信器
７  勾配磁場電源
８  受信器
９  記憶部
１０  中央処理装置
１１  操作部
１２  表示部
１３  被検者
１４  オペレータ
２１  ＬＥＤライト
２２  ボアライト
２３  ディスプレイ
２４  ヘッドフォン
１００  ＭＲＩ装置
１０１  条件設定手段
１０２  検索手段
【図１】
2012245315.tif 000003
【図２】
2012245315.tif 000004
【図３】
2012245315.tif 000005
【図４】
2012245315.tif 000006
【図５】
2012245315.tif 000007
【図６】
2012245315.tif 000008
【図７】
2012245315.tif 000009
【図８】
2012245315.tif 000010
【図９】
2012245315.tif 000011
【図１０】
2012245315.tif 000012
【図１１】
2012245315.tif 000013
【図１２】
2012245315.tif 000014
【図１３】
2012245315.tif 000015
【図１４】
2012245315.tif 000016